(57)【要約】【課題】製氷機構により製氷した氷を貯える貯氷室と、製氷機構を冷却する冷凍装置を収容する機械室とをハウジング内に設けた製氷機において、製氷機構と貯氷室の細菌の繁殖を抑えて清潔に保つようにする。【解決手段】製氷機１０は、製氷機構２０により製氷した氷を貯える貯氷室４０と、製氷機構２０を冷却する冷凍装置２２を収容する機械室１２とをハウジング１１内に設け、貯氷室４０と機械室１２とハウジング１１の少なくとも１つに紫外線を照射して殺菌する紫外線照射器５０を設けた。【選択図】図６
2020020562.tif 000002
【特許請求の範囲】
【請求項１】
製氷機構により製氷した氷を貯える貯氷室と、前記製氷機構を冷却する冷凍装置を収容する機械室とをハウジング内に設けた製氷機であって、
前記貯氷室と前記機械室と前記ハウジングとの少なくとも１つに紫外線を照射して殺菌する紫外線照射器を設けたことを特徴とする製氷機。
【請求項２】
請求項１に記載の製氷機において、
前記製氷機構は前記貯氷室の上部に取付ブラケットにより吊り下げられて取り付けられており、
前記貯氷室の上壁下面に前記紫外線照射器を配置して、前記紫外線照射器から前記製氷機構の上部に紫外線を照射するようにしたことを特徴とする製氷機。
【請求項３】
請求項１に記載の製氷機において、
前記製氷機構は前記貯氷室の上部に取付ブラケットにより吊り下げられて取り付けられており、
前記取付ブラケットに前記紫外線照射器を配置して、前記紫外線照射器から前記製氷機構の上部と前記貯氷室の上壁下面との少なくとも１つに紫外線を照射するようにしたことを特徴とする製氷機。
【請求項４】
請求項１に記載の製氷機において、
前記製氷機構は前記貯氷室の上部に取付ブラケットにより吊り下げられて取り付けられており、
前記製氷機構の上部に前記紫外線照射器を配置して、前記紫外線照射器から前記貯氷室の上壁下面に紫外線を照射するようにしたことを特徴とする製氷機。
【請求項５】
請求項４に記載の製氷機において、
前記製氷機構は上部に氷を製氷させる製氷部を備え、
製氷運転をするときには前記冷凍装置によって前記製氷部を冷却して氷を製氷させ、前記製氷運転後に除氷運転をするときには前記冷凍装置によって前記製氷部を加温して製氷した氷を離脱させるようにしたものであり、
前記除氷運転を実行するときに前記製氷機構の上部に配置した前記紫外線照射器から紫外線を照射するように制御したことを特徴とする製氷機。
【請求項６】
請求項１に記載の製氷機において、
前記製氷機構は下向きに開口する複数の製氷小室を有した製氷部を備え、
製氷運転をするときには前記冷凍装置によって前記製氷部を冷却して前記製氷小室内で製氷水を凍結させて氷を製氷し、前記製氷運転後に除氷運転をするには前記冷凍装置によって前記製氷部を加温して前記製氷小室内で製氷した氷を離脱させるようにしたものであり、
前記製氷部には前記製氷小室内に紫外線を通過させる通光部が設けられ、前記通光部から前記製氷小室内に紫外線を照射可能な位置に前記紫外線照射器を配置して、前記除氷運転中または前記除氷運転後の前記製氷運転を待機させているときに前記製氷小室内に紫外線を照射するように制御したことを特徴とする製氷機。
【請求項７】
請求項１に記載の製氷機において、
前記製氷機構は下向きに開口する複数の製氷小室を有した製氷部と、前記製氷部の下側にて前記製氷小室の開口を塞ぐ閉止位置と斜めに傾斜させて開放する開放位置とで水平軸線回りに回動可能に設けられて前記製氷小室の開口を開閉自在に塞ぐ水皿とを備え、
製氷運転を実行するときには、前記水皿を前記閉止位置として前記製氷小室の開口を塞いだ状態として製氷水を前記製氷小室内で凍結させて氷を製造するようにし、
前記製氷運転後の除氷運転をするときには、前記水皿を前記製氷部の下側で前記開放位置に回動させて、前記製氷小室内で製氷された氷を離脱させるようにしたものであり、
前記製氷部の下部に前記紫外線照射器を配置し、
前記除氷運転を実行するときに前記紫外線照射器から下側に紫外線を照射するように制御したことを特徴とする製氷機。
【請求項８】
請求項１に記載の製氷機において、
前記製氷機構は下向きに開口する複数の製氷小室を有した製氷部と、前記製氷部の下側にて前記製氷小室の開口を塞ぐ閉止位置と斜めに傾斜させて開放する開放位置とで水平軸線回りに回動可能に設けられて前記製氷小室の開口を開閉自在に塞ぐ水皿とを備え、
製氷運転を実行するときには、前記水皿を前記閉止位置として前記製氷小室の開口を塞いだ状態として製氷水を前記製氷小室内で凍結させて氷を製造するようにし、
前記製氷運転後の除氷運転をするときには、前記水皿を前記製氷部の下側で前記開放位置に回動させて、前記製氷小室内で製氷された氷を離脱させるようにしたものであり、
前記水皿は水平方向の一方の端部で水平軸線回りに回動可能に支持され、前記水皿の水平方向の他方の端部に前記紫外線照射器を配置したことを特徴とする製氷機。
【請求項９】
請求項１に記載の製氷機において、
前記貯氷室の上部に前記製氷機構が設けられ、
前記製氷機構は下部に水を受けるドレンパンを備え、
前記ドレンパンの上面に前記紫外線照射器を配置して、前記紫外線照射器から上側に紫外線を照射するようにしたことを特徴とする製氷機。
【請求項１０】
請求項１に記載の製氷機において、
前記貯氷室の上部に前記製氷機構が設けられ、
前記製氷機構は下部に水を受けるドレンパンを備え、
前記ドレンパンの下面に前記紫外線照射器を配置して、前記紫外線照射器から前記貯氷室の下部に向けて紫外線を照射するようにしたことを特徴とする製氷機。
【請求項１１】
請求項１に記載の製氷機において、
前記製氷機構は製氷面が互いに外側に配置されるように垂直に立設させた一対の製氷板の間に前記冷凍装置を構成する蒸発器が配設されたものであり、
製氷運転を実行するときには前記冷凍装置によって前記一対の製氷板を冷却して各製氷面を流下させた製氷水を凍結させて製氷し、前記製氷運転後に除氷運転をするときには前記冷凍装置によって前記一対の製氷板を加温するとともに前記一対の製氷板の間に除氷のための水を流下させて前記製氷面で製氷した氷を離脱させるようにしたものであり、
前記一対の製氷板の間に前記紫外線照射器を配置して、前記紫外線照射器から前記一対の製氷板の間に紫外線を照射するようにしたことを特徴とする製氷機。
【請求項１２】
請求項１に記載の製氷機において、
前記製氷機構により製氷した氷を前記貯氷室内に貯えるように通過させる通過経路に前記紫外線照射器を配置して、前記紫外線照射器から前記通過経路に紫外線を照射するようにしたことを特徴とする製氷機。
【請求項１３】
請求項１に記載の製氷機において、
前記貯氷室の上部に前記紫外線照射器を配置して、前記紫外線照射器から前記貯氷室内に紫外線を照射するようにしたことを特徴とする製氷機。
【請求項１４】
請求項１に記載の製氷機において、
前記貯氷室の上部には氷量を検知する氷量検知センサが設けられ、
前記氷量検知センサに前記紫外線照射器を配置して、前記紫外線照射器から前記貯氷室内に紫外線を照射するようにしたことを特徴とする製氷機。
【請求項１５】
請求項１に記載の製氷機において、
前記貯氷室の側部に前記紫外線照射器を配置して、前記紫外線照射器から前記貯氷室内に紫外線を照射するようにしたことを特徴とする製氷機。
【請求項１６】
請求項１に記載の製氷機において、
前記貯氷室の下部に前記紫外線照射器を配置して、前記紫外線照射器から前記貯氷室内に紫外線を照射するようにしたことを特徴とする製氷機。
【請求項１７】
請求項１に記載の製氷機において、
前記貯氷室の下部には水を下側に流すようにした状態で氷を受ける簀の子が設けられており、
前記簀の子の下面に前記紫外線照射器を配置して、前記貯氷室の底部に紫外線を照射するようにしたことを特徴とする製氷機。
【請求項１８】
請求項１に記載の製氷機において、
前記貯氷室の下部には水を下側に流すようにした状態で氷を受ける簀の子材が設けられており、
前記貯氷室の底部に前記紫外線照射器を配置して、前記簀の子の下面に紫外線を照射するようにしたことを特徴とする製氷機。
【請求項１９】
請求項１に記載の製氷機において、
前記貯氷室の底部には水を排出する排水口が設けられており、
前記排水口に前記紫外線照射器を配置して、前記紫外線照射器から前記排水口に紫外線を照射するようにしたことを特徴とする製氷機。
【請求項２０】
請求項１に記載の製氷機において、
前記貯氷室の底部には氷を放出する放出口が設けられており、
前記放出口に前記紫外線照射器を配置して、前記紫外線照射器から前記放出口に紫外線を照射するようにしたことを特徴とする製氷機。
【請求項２１】
請求項１に記載の製氷機において、
前記貯氷室の底部には氷を砕くクラッシャが設けられており、
前記クラッシャと前記貯氷室のクラッシャに対向する位置との少なくとも１つに前記紫外線照射器を配置して、前記紫外線照射器から前記クラッシャと前記貯氷室のクラッシャに対向する位置との少なくとも１つに紫外線を照射するようにしたことを特徴とする製氷機。
【請求項２２】
請求項１に記載の製氷機において、
前記貯氷室には前記機械室に収容された前記冷凍装置から前記製氷機構に冷媒を送る冷媒管が導入される冷媒管導入口が設けられ、
前記貯氷室内の前記冷媒管導入口に対向する位置に前記紫外線照射器を配置して、前記紫外線照射器から前記冷媒管導入口に紫外線を照射するようにしたことを特徴とする製氷機。
【請求項２３】
請求項１２〜２２の何れか１項に記載の製氷機において、
前記貯氷室の内周面には紫外線を反射させる反射部を設け、前記紫外線照射器から照射される紫外線を前記反射部により反射させたことを特徴とする製氷機。
【請求項２４】
請求項１に記載の製氷機において、
前記貯氷室には氷を取り出すスコップを収納するホルダが設けられ、
前記ホルダと、前記貯氷室の前記ホルダに対向する位置との少なくとも１つに前記紫外線照射器を配置して、前記紫外線照射器から前記ホルダと前記ホルダに収納したスコップとの少なくとも１つに紫外線を照射するようにしたことを特徴とする製氷機。
【請求項２５】
請求項２４に記載の製氷機において、
前記ホルダは前記製氷機構の下側に前記スコップを収納する収納空間を形成するようにしたものであり、
前記ホルダの収納空間と前記製氷機構との間に前記紫外線照射器を配置して、前記紫外線照射器から前記ホルダ内の収納空間と前記製氷機構の両方に紫外線を照射するようにしたことを特徴とする製氷機。
【請求項２６】
請求項１に記載の製氷機において、
前記貯氷室には氷を取り出すスコップを保持するフックが設けられ、
前記フックと、前記貯氷室の前記フックに対向する位置との少なくとも１つに前記紫外線照射器を配置して、前記紫外線照射器から前記フックと前記フックに保持させたスコップとの少なくとも１つに紫外線を照射するようにしたことを特徴とする製氷機。
【請求項２７】
請求項１に記載の製氷機において、
前記ハウジングは前記貯氷室から氷を取り出すための開口部と、前記開口部を開閉自在に塞ぐ扉とを備え、
前記貯氷室と、前記ハウジングの開口部周縁と、前記扉との少なくとも１つに前記紫外線照射器を配置して、前記紫外線照射器から前記貯氷室と前記ハウジングの開口部周縁と前記扉との少なくとも１つに紫外線を照射するようにしたことを特徴とする製氷機。
【請求項２８】
請求項１に記載の製氷機において、
前記ハウジングは前記貯氷室から氷を取り出すための開口部と、前記開口部を開閉自在に塞ぐ扉とを備え、
前記扉の下端部は前記ハウジングの開口部の下端部周縁に水平軸線周りに回動可能に支持され、前記扉と前記貯氷室との間には前記扉と前記貯氷室とを接続するスロープが回動可能に設けられ、
前記スロープと、前記貯氷室のスロープの対向する位置との少なくとも１つに前記紫外線照射器を配置して、前記紫外線照射器から前記扉と前記スロープと前記貯氷室内との少なくとも１つに紫外線を照射するようにしたことを特徴とする製氷機。
【請求項２９】
請求項１に記載の製氷機において、
前記ハウジングは前記貯氷室から氷を取り出すための開口部と、前記開口部を開閉自在に塞ぐ扉と、前記扉の開閉操作のための開閉操作部とを備え、
前記開閉操作部と、前記扉の前記開閉操作部に対向する位置と、前記ハウジングの前記開閉操作部と対向する位置との少なくとも１つに前記紫外線照射器を配置して、前記紫外線照射器から前記開閉操作部に紫外線を照射するようにしたことを特徴とする製氷機。
【請求項３０】
請求項１に記載の製氷機において、
前記機械室内に前記紫外線照射器を配置して、前記紫外線照射器から前記機械室内に紫外線を照射するようにしたことを特徴とする製氷機。
【請求項３１】
請求項３０に記載の製氷機において、
前記冷凍装置は、前記機械室内にて熱交換器を通過する冷媒を冷却ファンの作動により冷却する凝縮器を備え、
前記冷却ファンの作動による空気の流れる位置に前記紫外線照射器を配置して、前記紫外線照射器から前記機械室内にて前記冷却ファンによって流れる空気に紫外線を照射するようにしたことを特徴とする製氷機。
【請求項３２】
請求項３０に記載の製氷機において、
前記冷凍装置は、前記機械室内にて熱交換器を通過する冷媒を冷却ファンの作動により冷却する凝縮器を備え、
前記機械室内にて前記熱交換器に前記紫外線照射器を配置して、前記紫外線照射器から前記熱交換器に紫外線を照射するようにしたことを特徴とする製氷機。
【請求項３３】
請求項３１または３２に記載の製氷機において、
前記機械室内には前記凝縮器の外側を通風可能に覆うシュラウドが設けられ、
前記シュラウド内に前記紫外線照射器を配置して、前記機械室内にて前記シュラウド内を通過する空気に前記紫外線照射器から紫外線を照射するようにしたことを特徴とする製氷機。
【請求項３４】
請求項１に記載の製氷機において、
前記貯氷室内には前記冷凍装置を構成する蒸発器が配設され、
前記機械室から前記蒸発器に冷媒を送出する冷媒管を配設した配管経路に前記紫外線照射器を配置して、前記紫外線照射器から前記配管経路を通過する空気に紫外線を照射するようにしたことを特徴とする製氷機。
【請求項３５】
請求項１に記載の製氷機において、
前記貯氷室内には前記冷凍装置を構成する蒸発器が配設され、
前記機械室から前記蒸発器に冷媒を送出する冷媒管を配設した配管経路の入口部に前記紫外線照射器を配置して、前記紫外線照射器から前記配管経路に流入する空気に紫外線を照射するようにしたことを特徴とする製氷機。
【請求項３６】
請求項１０〜２７の何れか１項に記載の製氷機において、
前記扉の開放を検知する扉開放検知センサを備え、
前記扉開放検知センサにより前記扉が閉じられているときに前記紫外線照射器から紫外線を照射するように制御したことを特徴とする製氷機。
【発明の詳細な説明】
【技術分野】
【０００１】
本発明は、製氷機構により製氷した氷を貯える貯氷室と、製氷機構を冷却する冷凍装置を収容する機械室とをハウジング内に設けた製氷機に関する。
【背景技術】
【０００２】
特許文献１には、製氷機構により製氷した氷を貯える貯氷室と、製氷機構を冷却する冷凍装置を収容する機械室とをハウジング内に設けた製氷機が開示されている。この製氷機は所謂クローズドセルタイプの製氷機であり、製氷機構は、下向きに開口する複数の製氷小室を有した製氷部と、製氷部を冷却する冷凍装置と、製氷部の下側にて製氷小室の開口を塞ぐ閉止位置と斜めに傾斜させて開放する開放位置とで水平軸線回りに回動可能に設けられて製氷小室の開口を開閉自在に塞ぐ水皿と、製氷部へ供給する製氷水を貯える製氷水タンクと、製氷水タンク内の製氷水を製氷小室に噴射送出させる送水ポンプとを備えている。この製氷機で製氷運転を実行したときに、製氷部が冷凍装置によって冷却されるとともに、製氷部の各製氷小室は閉止位置にある水皿により開口が塞がれた状態となっていて、製氷水タンク内の製氷水を送水ポンプによって製氷部と循環させて冷却させ、製氷水を製氷小室内で凍結させて氷を製造するようにしている。製氷運転後の除氷運転をするときには、水皿を開放位置となるように回動させて製氷部から離間させ、製氷部の製氷小室で製氷された氷を離脱させて貯氷室に落下させている。
【先行技術文献】
【特許文献】
【０００３】
【特許文献１】特開２０１４−１１９１６７号公報
【発明の概要】
【発明が解決しようとする課題】
【０００４】
上記の特許文献１の製氷機では、貯氷室内は温度が低くて細菌が繁殖しにくいものの、貯氷室内には製氷機構によって製氷される氷が貯えられているために、貯氷室内を頻繁に洗浄することができなかった。また、貯氷室内で貯える氷を製氷する製氷機構も定期的な洗浄をするのが好ましいが、製氷機構は分解しにくい構造となっているために、製氷機構を頻繁に分解洗浄するのは困難であった。さらに、製氷機構を冷却する冷凍装置を収容する機械室内には凝縮器の冷却ファンによって常に外気を導入するようになっており、導入した外気に含まれる細菌が貯氷室内に流入するおそれがあった。本発明は、製氷機構により製氷した氷を貯える貯氷室と、製氷機構を冷却する冷凍装置を収容する機械室とをハウジング内に設けた製氷機において、製氷機構と貯氷室の細菌の繁殖を抑えて清潔に保つようにすることを目的とする。
【課題を解決するための手段】
【０００５】
本発明は上記課題を解決するため、製氷機構により製氷した氷を貯える貯氷室と、製氷機構を冷却する冷凍装置を収容する機械室とをハウジング内に設けた製氷機であって、貯氷室と機械室とハウジングの少なくとも１つに紫外線を照射して殺菌する紫外線照射器を設けたことを特徴とする製氷機を提供するものである。
【０００６】
上記のように構成した製氷機においては、貯氷室と機械室とハウジングの少なくとも１つに紫外線を照射して殺菌する紫外線照射器を設けたので、貯氷室と機械室とハウジングの少なくとも１つに浮遊する細菌を紫外線照射器によって照射される紫外線により殺菌することができ、貯氷室と機械室とハウジングとの少なくとも１つを清潔に保つことができる。
【０００７】
上記のように構成した製氷機においては、製氷機構は貯氷室の上部に取付ブラケットにより吊り下げられて取り付けられており、貯氷室の上壁下面に紫外線照射器を配置したときに、紫外線照射器から製氷機構の上部に紫外線を照射するようにしてもよいし、取付ブラケットに紫外線照射器を配置して、紫外線照射器から製氷機構の上部と貯氷室の上壁下面との少なくとも１つに紫外線を照射するようにしてもよいし、製氷機構の上部に紫外線照射器を配置して、紫外線照射器から貯氷室の上壁下面に紫外線を照射するようにしてもよい。
【０００８】
上記のように構成した製氷機においては、製氷機構は上部に氷を製氷させる製氷部を備え、製氷運転をするときには冷凍装置によって製氷部を冷却して氷を製氷させ、製氷運転後に除氷運転をするときには冷凍装置によって製氷部を加温して製氷した氷を離脱させるようにしたものであり、除氷運転を実行するときに製氷機構の上部に配置した紫外線照射器から紫外線を照射するように制御するのが好ましい。同様に、 製氷機構は下向きに開口する複数の製氷小室を有した製氷部を備え、製氷運転をするときには冷凍装置によって製氷部を冷却して製氷小室内で製氷水を凍結させて氷を製氷し、製氷運転後に除氷運転をするには冷凍装置によって製氷部を加温して製氷小室内で製氷した氷を離脱させるようにしたものであり、製氷部には製氷小室内に紫外線を通過させる通光部が設けられ、通光部から製氷小室内に紫外線を照射可能な位置に紫外線照射器を配置して、除氷運転中または除氷運転後の製氷運転を待機させているときに製氷小室内に紫外線を照射するように制御するのが好ましい。同様に、製氷機構は下向きに開口する複数の製氷小室を有した製氷部と、製氷部の下側にて製氷小室の開口を塞ぐ閉止位置と斜めに傾斜させて開放する開放位置とで水平軸線回りに回動可能に設けられて製氷小室の開口を開閉自在に塞ぐ水皿とを備え、製氷運転を実行するときには、水皿を閉止位置として製氷小室の開口を塞いだ状態として製氷水を製氷小室内で凍結させて氷を製造するようにし、製氷運転後の除氷運転をするときには、水皿を製氷部の下側で開放位置に回動させて、製氷小室内で製氷された氷を離脱させるようにしたものであり、製氷部の下部に紫外線照射器を配置し、除氷運転を実行するときに紫外線照射器から下側に紫外線を照射するように制御するのが好ましい。
【０００９】
上記のように構成した製氷機においては、製氷機構は下向きに開口する複数の製氷小室を有した製氷部と、製氷部の下側にて製氷小室の開口を塞ぐ閉止位置と斜めに傾斜させて開放する開放位置とで水平軸線回りに回動可能に設けられて製氷小室の開口を開閉自在に塞ぐ水皿とを備え、製氷運転を実行するときには、水皿を閉止位置として製氷小室の開口を塞いだ状態として製氷水を製氷小室内で凍結させて氷を製造するようにし、製氷運転後の除氷運転をするときには、水皿を製氷部の下側で開放位置に回動させて、製氷小室内で製氷された氷を離脱させるようにしたものであり、水皿は水平方向の一方の端部で水平軸線回りに回動可能に支持され、水皿の水平方向の他方の端部に紫外線照射器を配置するのが好ましい。同様に、貯氷室の上部に製氷機構が設けられ、製氷機構は下部に水を受けるドレンパンを備えたときに、ドレンパンの上面に紫外線照射器を配置して、紫外線照射器から上側に紫外線を照射するのが好ましい。同様に、貯氷室の上部に製氷機構が設けられ、製氷機構は下部に水を受けるドレンパンを備えたときには、ドレンパンの下面に紫外線照射器を配置して、紫外線照射器から貯氷室の下部に向けて紫外線を照射するのが好ましい。
【００１０】
上記のように構成した製氷機においては、製氷機構は製氷面が互いに外側に配置されるように垂直に立設させた一対の製氷板の間に冷凍装置を構成する蒸発器が配設されたものであり、製氷運転を実行するときには冷凍装置によって一対の製氷板を冷却して各製氷面を流下させた製氷水を凍結させて製氷し、製氷運転後に除氷運転をするときには冷凍装置によって一対の製氷板を加温するとともに一対の製氷板の間に除氷のための水を流下させて製氷面で製氷した氷を離脱させるようにしたものであるときに、一対の製氷板の間に紫外線照射器を配置して、紫外線照射器から一対の製氷板の間に紫外線を照射するのが好ましい。
【００１１】
上記のように構成した製氷機においては、製氷機構により製氷した氷を貯氷室内に貯えるように通過させる通過経路に紫外線照射器を配置して、紫外線照射器から通過経路に紫外線を照射するのが好ましい。また、貯氷室の上部に紫外線照射器を配置して、紫外線照射器から貯氷室内に紫外線を照射するのが好ましい。また、貯氷室の上部には氷量を検知する氷量検知センサが設けられ、氷量検知センサに紫外線照射器を配置して、紫外線照射器から貯氷室内に紫外線を照射するのが好ましい。また、貯氷室の側部に紫外線照射器を配置して、紫外線照射器から貯氷室内に紫外線を照射するのが好ましい。また、貯氷室の下部に紫外線照射器を配置して、紫外線照射器から貯氷室内に紫外線を照射するのが好ましい。また、貯氷室の下部に水を下側に流すようにした状態で氷を受ける簀の子を設けたときには、簀の子の下面に紫外線照射器を配置して、貯氷室の底部に紫外線を照射するようにしてもよいし、貯氷室の底部に紫外線照射器を配置して、簀の子の下面に紫外線を照射するようにしてもよい。また、貯氷室の底部には水を排出する排水口が設けられているときには、排水口に紫外線照射器を配置して、紫外線照射器から排水口に紫外線を照射するようにしてもよいし、貯氷室の底部には氷を放出する放出口が設けられているときには、放出口に紫外線照射器を配置して、紫外線照射器から放出口に紫外線を照射するようにしてもよい。また、貯氷室の底部に氷を砕くクラッシャが設けられているときには、クラッシャと貯氷室のクラッシャに対向する位置との少なくとも１つに紫外線照射器を配置して、紫外線照射器からクラッシャと貯氷室のクラッシャに対向する位置との少なくとも１つに紫外線を照射するようにしてもよい。また、貯氷室には機械室に収容された冷凍装置から製氷機構に冷媒を送る冷媒管が導入される冷媒管導入口が設けられているときには、貯氷室内の冷媒管導入口に対向する位置に紫外線照射器を配置して、紫外線照射器から冷媒管導入口に紫外線を照射するようにしてもよい。また、貯氷室の内周面には紫外線を反射させる反射部を設けて、紫外線照射器から照射される紫外線を反射部により反射させるのが好ましい。
【００１２】
上記のように構成した製氷機において、貯氷室に氷を取り出すスコップを収納するホルダが設けられたときは、ホルダと、貯氷室のホルダに対向する位置との少なくとも１つに紫外線照射器を配置して、紫外線照射器からホルダとホルダに収納したスコップとの少なくとも１つに紫外線を照射してもよい。また、この場合において、ホルダは製氷機構の下側にスコップを収納する収納空間を形成するようにしたものであるときに、ホルダの収納空間と製氷機構との間に紫外線照射器を配置して、紫外線照射器からホルダ内の収納空間と製氷機構の両方に紫外線を照射するのが好ましい。また、貯氷室に氷を取り出すスコップを保持するフックが設けられたときには、フックと、貯氷室のフックに対向する位置との少なくとも１つに紫外線照射器を配置して、紫外線照射器からフックとフックに保持させたスコップとの少なくとも１つに紫外線を照射するのが好ましい。
【００１３】
上記のように構成した製氷機においては、ハウジングは貯氷室から氷を取り出すための開口部と、開口部を開閉自在に塞ぐ扉とを備え、貯氷室と、ハウジングの開口部周縁と、扉との少なくとも１つに紫外線照射器を配置して、紫外線照射器から貯氷室とハウジングの開口部周縁と扉との少なくとも１つに紫外線を照射するのが好ましい。また、ハウジングは貯氷室から氷を取り出すための開口部と、開口部を開閉自在に塞ぐ扉とを備え、扉の下端部はハウジングの開口部の下端部周縁に水平軸線周りに回動可能に支持され、扉と貯氷室との間には扉と貯氷室とを接続するスロープが回動可能に設けられたときには、スロープと、貯氷室のスロープの対向する位置との少なくとも１つに紫外線照射器を配置して、紫外線照射器から扉とスロープと貯氷室内との少なくとも１つに紫外線を照射するのが好ましい。
【００１４】
上記のように構成した製氷機においては、ハウジングは貯氷室から氷を取り出すための開口部と、開口部を開閉自在に塞ぐ扉と、扉の開閉操作のための開閉操作部とを備え、開閉操作部と、扉の開閉操作部に対向する位置と、ハウジングの開閉操作部と対向する位置との少なくとも１つに紫外線照射器を配置して、紫外線照射器から開閉操作部に紫外線を照射するのが好ましい。
【００１５】
上記のように構成した製氷機においては、機械室内に紫外線照射器を配置して、紫外線照射器から機械室内に紫外線を照射するのが好ましい。また、冷凍装置は、機械室内にて熱交換器を通過する冷媒を冷却ファンの作動により冷却する凝縮器を備えたときに、冷却ファンの作動による空気の流れる位置に紫外線照射器を配置して、紫外線照射器から機械室内にて冷却ファンによって流れる空気に紫外線を照射させてもよいし、機械室内にて熱交換器に紫外線照射器を配置して、紫外線照射器から熱交換器に紫外線を照射させてもよい。また、機械室内に凝縮器の外側を通風可能に覆うシュラウドが設けられたときには、シュラウド内に紫外線照射器を配置して、機械室内にてシュラウド内を通過する空気に紫外線照射器から紫外線を照射させてもよい。また、貯氷室内に冷凍装置を構成する蒸発器が配設されたときには、機械室から蒸発器に冷媒を送出する冷媒管を配設した配管経路に紫外線照射器を配置して、紫外線照射器から配管経路を通過する空気に紫外線を照射させてもよい。また、貯氷室内に冷凍装置を構成する蒸発器が配設されたときに、機械室から蒸発器に冷媒を送出する冷媒管を配設した配管経路の入口部に紫外線照射器を配置して、紫外線照射器から配管経路に流入する空気に紫外線を照射させてもよい。また、扉の開放を検知する扉開放検知センサを備えたときに、扉開放検知センサにより扉が閉じられているときに紫外線照射器から紫外線を照射するように制御してもよい。
【図面の簡単な説明】
【００１６】
【図１】本発明による第１実施形態の製氷機の斜視図である。
【図２】図１の縦方向断面図である。
【図３】図１の製氷機の扉を開放させた斜視図である。
【図４】図１の製氷機の概略図である。
【図５】制御装置のブロック図である。
【図６】第１実施例の前後方向に沿った縦方向部分断面図である。
【図７】第２実施例の前後方向に沿った縦方向部分断面図である。
【図８】第３実施例の前後方向に沿った縦方向部分断面図である。
【図９】第４実施例の製氷機構の概略図である。
【図１０】第５実施例の製氷機構の概略図であり、水皿が水平姿勢の閉止位置にあるときの概略図（ａ）と、水皿が傾斜姿勢の開放位置にあるときの概略図である（ｂ）。
【図１１】第６実施例の製氷機構の概略図である。
【図１２】第７実施例の製氷機構の概略図であり、水皿が水平姿勢の閉止位置にあるときの概略図（ａ）と、水皿が傾斜姿勢の開放位置にあるときの概略図である（ｂ）。
【図１３】第８実施例の製氷機構の概略図である。
【図１４】第９実施例の製氷機構の概略図である。
【図１５】第１０実施例の製氷機構の概略図である。
【図１６】第１１実施例の製氷機構の概略図である。
【図１７】第１２実施例の前後方向に沿った縦方向部分断面図である。
【図１８】第１３実施例の前後方向に沿った縦方向部分断面図である。
【図１９】図１３実施例の変形例を示す前後方向に沿った縦方向部分断面図である。
【図２０】第１４実施例の左右方向に沿った縦方向断面図である。
【図２１】図１４実施例の変形例を示す左右方向に沿った縦方向断面図である。
【図２２】第１５実施例の扉を取り外した状態の斜視図である。
【図２３】第１５実施例の前後方向に沿った縦方向断面図である。
【図２４】第１６実施例の概略図である。
【図２５】第１７実施例の前後方向に沿った縦方向断面図である。
【図２６】第１８実施例の前後方向に沿った縦方向断面図である。
【図２７】第１９実施例の前後方向に沿った縦方向断面図である。
【図２８】第２０実施例の前後方向に沿った縦方向断面図である。
【図２９】第２１実施例の前後方向に沿った縦方向断面図である。
【図３０】第２２実施例の前後方向に沿った縦方向断面図である。
【図３１】第２３実施例の前後方向に沿った縦方向断面図である。
【図３２】第２４実施例の斜視図である。
【図３３】第２５実施例の前後方向に沿った縦方向部分断面図である。
【図３４】第２６実施例の前後方向に沿った縦方向部分断面図である。
【図３５】第２４〜第２６実施例の変形例の斜視図である。
【図３６】第２７実施例の概略図である。
【図３７】第２８実施例の概略図である。
【図３８】第２９実施例の概略図である。
【図３９】第３０実施例の概略図である。
【図４０】第３１実施例の概略図である。
【図４１】本発明による第２実施形態の製氷機の斜視図である。
【図４２】図４１の左右方向に沿った縦方向断面図である。
【図４３】図４１の前後方向に沿った縦方向断面図である。
【図４４】本発明による第３実施形態の製氷機の斜視図である。
【図４５】図４４の前後方向に沿った縦方向断面図である。
【図４６】本発明による第４実施形態の製氷機の概略図である。
【図４７】貯氷室の下部にクラッシャを設けたときの断面図である。
【発明を実施するための形態】
【００１７】
以下に、本発明の製氷機の実施形態を図面を用いて説明する。図１及び図２に示したように、第１実施形態の製氷機１０は、所謂クローズドセルタイプの製氷機構を備えた製氷機であり、製氷機構２０により製氷した氷を貯える貯氷室４０と、製氷機構２０を冷却する冷凍装置２２を収容する機械室１２とをハウジング１１内に設けたものである。
【００１８】
図２に示したように、ハウジング１１の略上半部に貯氷室４０が配設され、ハウジング１１の略下半部に機械室１２が配設されている。図２〜図４に示したように、ハウジング１１の前面上部には開口部１１ａが形成されており、ハウジング１１の前面上部には開口部１１ａを開閉自在に塞ぐ扉１３が設けられている。ハウジング１１の前面上部の開口部１１ａは貯氷室４０内の氷を取り出すためのものであり、ハウジング１１の開口部１１ａには扉１３が開閉自在に設けられている。扉１３の下端部はハウジング１１の前面上部の開口部１１ａの下端部周縁に水平軸線回りに回動可能に支持されており、扉１３の上部を前側に引くことで開放される。図１及び図２に示したように、扉１３の上部には開閉操作をするための取手よりなる開閉操作部１３ａが設けられており、扉１３は開閉操作部１３ａを操作することによって開閉される。図４に示したように、貯氷室４０のハウジング１１の開口部１１ａの上縁部と対向する位置には扉開放検知センサ１４が設けられており、扉開放検知センサ１４は扉１３の開閉状態(開放状態は図４にて二点鎖線で示し、閉止状態は図４にて実線で示した)を検知する。
【００１９】
図２〜図４に示したように、貯氷室４０にはハウジング１１の開口部１１ａと対向する位置にスロープ１５が水平軸線周りに回動可能に支持されている。スロープ１５は板部材を用いたものであって、ハウジング１１の開口部１１ａの下端部周縁に水平軸線回りに回動可能に支持されている。スロープ１５は、扉１３とともに回動し、扉１３の貯氷室４０側と貯氷室４０とを連続させて、扉１３の下縁部と貯氷室４０との間に氷が挟まるのを防ぐ機能を有している。スロープ１５の左右両側には氷が外側に落下するのを防ぐ落下防止部１５ａが設けられている。
【００２０】
図２及び図４に示したように、貯氷室４０内の上部には製氷機構２０が設けられており、製氷機構２０により製氷された氷は貯氷室４０内に貯えられる。製氷機構２０は、下向きに開口する複数の製氷小室２１ｂを有した製氷部２１と、製氷部２１を冷却する冷凍装置２２と、製氷部２１の下側で水平姿勢となって製氷小室２１ｂの開口を塞ぐ閉止位置と斜めに傾斜させて開放する開放位置とで水平軸線回りに回動可能に設けられて製氷小室２１ｂの開口を開閉自在に塞ぐ水皿２４と、製氷部２１へ供給する製氷水を貯える製氷水タンク２５と、製氷水タンク２５内の製氷水を製氷小室２１ｂに噴射送出させる送水ポンプ２６とを備えている。
【００２１】
図４に示したように、製氷部２１は水平に配置されて下側が開口した浅い箱形をし、仕切り部材２１ａにより下向きに開口する複数の製氷小室２１ｂが形成されている。製氷小室２１ｂで製氷した氷は貯氷室４０内に貯えられる。製氷部２１の上面には冷凍装置２２を構成する蒸発器２２ｄが配設されている。冷凍装置２２は、製氷運転を実行するときに製氷部２１を冷却するとともに、除氷運転をするときに製氷部２１を加温するものである。冷凍装置２２は、冷媒を圧縮する圧縮機２２ａと、圧縮機２２ａから圧送された冷媒を冷却して液化させる凝縮器２２ｂと、凝縮器２２ｂにて液化させた液化冷媒を膨張させて低圧の液化冷媒とする膨張弁２２ｃと、膨張弁２２ｃにより膨張させた液化冷媒を気化させて製氷部２１を冷却する蒸発器２２ｄとを備え、蒸発器２２ｄを除いて機械室１２に収容されている。冷凍装置２２は圧縮機２２ａ、凝縮器２２ｂ、膨張弁２２ｃ及び蒸発器２２ｄを冷媒管２２ｅによって環状に接続して冷凍回路が構成されている。貯氷室４０の上部には冷媒管２２ｅを通すための冷媒管導入口４０ａが形成されており、機械室１２の凝縮器２２ｂから導出される冷媒管２２ｅは冷媒管導入口４０ａを通って貯氷室４０に導入されて蒸発器２２ｄに接続されている。
【００２２】
冷凍装置２２は除氷運転をするときに蒸発器２２ｄにホットガスを供給するホットガス管（ホットガス経路）２２ｆを備えている。ホットガス管２２ｆは圧縮機２２ａの下流と蒸発器２２ｄの上流とを接続して、圧縮機２２ａからのホットガスを蒸発器２２ｄに導くようにしている。ホットガス管２２ｆにはホットガス弁２２ｇが介装されており、圧縮機２２ａから送られるホットガスはホットガス弁２２ｇの開放によってホットガス管２２ｆを通って蒸発器２２ｄに導かれる。除氷運転時に、ホットガスがホットガス弁２２ｇの開放によって蒸発器２２ｄに導かれると、製氷部２１の製氷小室２１ｂ内はホットガスにより加温され、製氷小室２１ｂ内で凍結した氷が離脱して除氷される。製氷部２１には温度センサ２３が設けられており、温度センサ２３は主として除氷運転を実行したときの製氷小室２１ｂからの氷の離脱を検知するのに用いられる。
【００２３】
製氷部２１の下側には水皿２４と製氷水タンク２５と送水ポンプ２６が設けられている。水皿２４は製氷部２１の下側にて水平軸線回りに回動可能に設けられており、製氷部２１の下側で水平姿勢となることで製氷小室２１ｂの開口を塞ぐ閉止位置（図４の実線で示した）と、製氷部２１の下側で斜めに傾斜姿勢となることで製氷小室２１ｂの開口を開放する開放位置（図４の二点鎖線で示した）とで回動可能に支持されている。水皿２４には製氷水タンク２５内の製氷水を各製氷小室２１ｂに製氷水を噴射送出させるための製氷水通路が設けられており、水皿２４の上面には各製氷水通路から製氷小室２１ｂに製氷水を噴出させる噴射孔が形成されている。
【００２４】
水皿２４の下側には製氷水タンク２５が取り付けられており、製氷水タンク２５は製氷部２１に噴射送出する所定量の製氷水を貯えるものである。製氷水タンク２５の下部には送水ポンプ２６が取り付けられており、送水ポンプ２６は送水管２６ａによって水皿２４の製氷水通路に接続されている。製氷水タンク２５内の製氷水は送水ポンプ２６の作動によって水皿２４の製氷水通路に送られ、水皿２４の製氷水通路から各噴射孔を通って各製氷小室２１ｂに噴射送出される。
【００２５】
水皿２４には閉止位置と開放位置との間で傾動させる開閉機構２７が設けられており、水皿２４は開閉機構２７によって製氷小室２１ｂの開口を開閉している。開閉機構２７はアクチュエータモータ２７ａを備え、アクチュエータモータ２７ａの駆動により水皿２４を閉止位置と開放位置との間で傾動させている。製氷水タンク２５の下側にはドレンパン２８が設けられており、ドレンパン２８は製氷運転後に製氷水タンク２５に残る製氷水を受けるようにしたものである。
【００２６】
図４に示したように、製氷機１０はハウジング１１の外側から内側に延びて製氷機構２０に製氷水を供給する給水経路３０を備えている。給水経路３０は水道等の給水源から供給される水（製氷水）を製氷機構２０に供給するものであり、給水経路３０には給水弁３１が介装されており、給水源の水は給水弁３１の開放によって給水経路３０から水皿２４を介して製氷水タンク２５に供給される。
【００２７】
図２〜図４に示したように、貯氷室４０は製氷機構２０により製氷した氷を貯えるものである。図４に示したように、貯氷室４０の上下方向の中間部には氷量検知センサ４１が設けられており、氷量検知センサ４１は貯氷室４０内の氷が満杯となったことを検知する。また、貯氷室４０内には氷を取り出すためのスコップＳを収容するホルダ４２が設けられている。ホルダ４２は前側から見た形状が上側が開いた略コ字形をし、製氷機構２０を構成するドレンパン２８の下面に取り付けられている。ホルダ４２はドレンパン２８の下面との間にスコップＳを収容する収容空間４２ａを形成している。貯氷室４０の下部には排水口４３が形成されており、排水口４３は貯氷室４０内で氷が融けた水を排水するものである。
【００２８】
この製氷機１０は、ハウジング１１と機械室１２と貯氷室４０との少なくとも１つに紫外線を照射して殺菌するための紫外線照射器５０を備えており、紫外線照射器５０の配置については下記の各実施例にて詳述する。紫外線照射器５０には紫外線発光ダイオードが用いられ、細菌に対する殺菌能力として２００ｎｍ〜３００ｎｍの波長の紫外線を発光する紫外線発光ダイオード、さらに好ましくは、２２０ｎｍ〜２８０ｎｍの波長の紫外線（深紫外線）を発光する深紫外線発光ダイオードが用いられている。紫外線照射器５０はハウジング１１と機械室１２と貯氷室４０との少なくとも１つに紫外線を照射するように配置され、特に貯氷室４０に細菌が流入する経路に配置するのが好ましい。
【００２９】
製氷機１０は制御装置６０を備えており、図５に示したように、この制御装置６０は、扉開放検知センサ１４、冷凍装置２２の圧縮機２２ａと、ホットガス弁２２ｇ、温度センサ２３、送水ポンプ２６、開閉機構２７のアクチュエータモータ２７ａ、給水弁３１、氷量検知センサ４１及び紫外線照射器５０に接続されている。制御装置６０はマイクロコンピュータ（図示省略）を有しており、マイクロコンピュータは、バスを介してそれぞれ接続されたＣＰＵ、ＲＡＭ、ＲＯＭ及びタイマ（いずれも図示省略）を備えている。制御装置６０は製氷部２１にて製氷水を凍結させて氷を製造する製氷運転と、製氷運転により製氷部２１で凍結させた氷を除氷する除氷運転とを繰り返し実行する製氷プログラムを有している。また、制御装置６０は紫外線照射器５０によってハウジング１１と機械室１２と貯氷室４０との少なくとも１つに紫外線を照射するように制御している。
【００３０】
次に、製氷機１０の製氷プログラムについて説明する。制御装置６０は、製氷プログラムを実行したときに製氷部２１にて製氷運転と除氷運転とを交互に繰り返し実行する。制御装置６０は、製氷運転を実行させたときに、冷凍装置２２を作動させるとともに、開閉機構２７のアクチュエータモータ２７ａにより水皿２４を閉止位置に傾動させてから、給水弁３１を所定時間開放する。給水弁３１を所定時間開放することで、給水源の水は給水経路３０を通って製氷水タンク２５に供給される。また、製氷運転での冷凍装置２２では、圧縮機２２ａから圧送された冷媒が凝縮器２２ｂにより液化されて液化冷媒となり、液化冷媒は膨張弁２２ｃにより膨張して低圧の液化冷媒となり、製氷部２１は低圧の液化冷媒が蒸発器２２ｄで気化することによって冷却される。
【００３１】
制御装置６０は、給水開始から所定時間経過後に給水弁３１を閉止させて給水を終了する。製氷水タンク２５内の製氷水は送水ポンプ２６の作動によって製氷部２１の各製氷小室２１ｂに噴射送出され、製氷部２１との間で循環することで冷却される。製氷水は製氷小室２１ｂ内で徐々に凍結して氷となり、製氷水タンク２５内の製氷水は徐々に減少し、制御装置６０は製氷小室２１ｂ内でブロック形氷が製氷されると製氷運転を終了させる。
【００３２】
製氷運転後の除氷運転では、制御装置６０は、圧縮機２２ａを作動させた状態でホットガス弁２２ｇを開放するとともに、開閉機構２７のアクチュエータモータ２７ａにより水皿２４を開放位置に傾動させる。除氷運転での冷凍装置２２では、圧縮機２２ａから送出されるホットガスは、ホットガス管２２ｆを通って蒸発器２２ｄに導かれて製氷部２１の各製氷小室２１ｂを加温する。製氷部２１の温度は徐々に上昇して、製氷小室２１ｂ内で凍結した氷は離脱して貯氷室４０に貯えられる。温度センサ２３の検出温度が除氷が完了したことを検知する所定温度以上となると、制御装置６０は、製氷部２１の製氷小室２１ｂに氷が残ってない、即ち除氷が完了していると検知して、ホットガス弁２２ｇを閉止させて除氷運転を終了する。制御装置６０は、除氷運転後に氷量検知センサ４１により貯氷室４０内に氷が満杯となったことを検知していなければ再び上述した製氷運転を実行させる。このように、制御装置６０は、貯氷室４０内の氷が満杯となるまで、製氷運転と除氷運転とを繰り返し実行するように制御している。
【００３３】
上記のように構成した製氷機１０においては、紫外線照射器５０はハウジング１１と機械室１２と貯氷室４０との少なくとも１つに紫外線を照射するように配設され、紫外線照射器５０によりハウジング１１と機械室１２と貯氷室４０との少なくとも１つに紫外線を照射するときの紫外線照射器５０の配置について下記の各実施例に基づいて説明する。
【００３４】
先ず、紫外線照射器５０から貯氷室４０に紫外線を照射して殺菌するようにした実施例として、特に製氷機構２０または製氷機構２０の周囲に紫外線を照射して殺菌するようにした第１〜第１２実施例について説明する。第１〜第１２実施例に示したように、紫外線照射器５０から貯氷室４０内の特に製氷機構２０または製氷機構２０の周囲に紫外線を照射して殺菌したときには、貯氷室４０内の特に製氷機構２０または製氷機構２０の周囲を清潔に保つことができるようになる。
【００３５】
（第１実施例）
図６に示したように、貯氷室４０内の上部には製氷機構２０が設けられており、製氷機構２０は貯氷室４０の上部に取付ブラケット４４より吊り下げられて取り付けられている。製氷機構２０は貯氷室４０の上部で使用者の目の届きにくい位置に配設され、特に、製氷機構２０の上側は使用者がメンテナンスをしにくくなっている。このため、この第１実施例では、貯氷室４０の上壁下面に紫外線照射器５０が配置され、紫外線照射器５０の紫外線の照射方向を製氷機構２０の上部に向け、紫外線照射器５０は製氷機構２０の上部に紫外線を照射するようにしている。これによって、貯氷室４０の上部にてメンテナンスしにくい製氷機構２０の上部に紫外線照射器５０から紫外線を照射して殺菌をし、貯氷室４０内を清潔に保つことができるようになった。
【００３６】
（第２実施例）
第２実施例の製氷機１０は、第１実施例の製氷機１０における紫外線照射器５０の配置を変えたものである。製氷機構２０は貯氷室４０の上部で使用者の目が届きにくくなっているだけでなく、貯氷室４０の上壁下面は直ぐ下側に製氷機構２０が配設されているために使用者がメンテナンスしにくくなっている。図７に示したように、第２実施例の製氷機１０の貯氷室４０では、取付ブラケット４４に紫外線照射器５０が配置されており、紫外線照射器５０の紫外線の照射方向を貯氷室４０の上壁下面及び製氷機構２０の上部に向け、紫外線照射器５０は貯氷室４０の上壁下面及び製氷機構２０の上部に紫外線を照射するようにしている。これによって、貯氷室４０の上部にてメンテナンスしにくい製氷機構２０の上部及び貯氷室４０の上壁下面に紫外線照射器５０から紫外線を照射して殺菌をし、貯氷室４０内を清潔に保つことができるようになった。なお、紫外線照射器５０の紫外線の照射方向を貯氷室４０の上壁下面または製氷機構２０の上部に向け、紫外線照射器５０は貯氷室４０の上壁下面または製氷機構２０の上部に紫外線を照射するようにしてもよい。
【００３７】
（第３実施例）
第３実施例の製氷機１０は、第１実施例の製氷機１０における紫外線照射器５０の配置を変えたものである。貯氷室４０の上壁下面は直ぐ下側に製氷機構２０が配設されているために使用者がメンテナンスしにくくなっている。このため、図８に示したように、第３実施例の製氷機１０の貯氷室４０では、製氷部２１の上部に紫外線照射器５０が配置されており、紫外線照射器５０の紫外線の照射方向を貯氷室４０の上壁下面に向け、紫外線照射器５０は貯氷室４０の上壁下面に紫外線を照射している。これによって、貯氷室４０の上部におけるメンテナンスしにくい製氷機構２０の上側の空間及び貯氷室４０の上壁下面１に紫外線照射器５０から紫外線を照射して殺菌をし、貯氷室４０内を清潔に保つことができるようになった。特に、この第３実施例では、除氷運転を実行するときに紫外線照射器５０から紫外線を照射するように制御するのが好ましく、紫外線照射器５０を作動させたときに生じる熱を製氷部２１の除氷に用いることができるようになる。
【００３８】
（第４実施例）
第４実施例の製氷機１０は、第３実施例の製氷機１０の紫外線照射器５０の紫外線の照射方向を変えたものである。図９に示したように、製氷部２１には製氷小室２１ｂ内に紫外線を通過させる細孔よりなる通光部２１ｃが形成されており、製氷部２１の上部に配置した紫外線照射器５０の紫外線の照射方向を通光部２１ｃを通るように下側に向け、紫外線照射器５０は通光部２１ｃから製氷小室２１ｂ内及び下側の水皿２４に紫外線を照射している。この第４実施例では、除氷運転中または、氷量検知センサ４１によって貯氷室４０内の氷が満杯となって除氷運転後に製氷運転を待機させているときに紫外線照射器５０から紫外線を照射するように制御し、製氷小室２１ｂ内に紫外線を照射するだけでなく、水皿２４の上面に向けて紫外線を照射するようにした。これによって、貯氷室４０内にて製氷機構２０の下部に紫外線を照射して殺菌をし、貯氷室４０内の製氷機構２０を清潔に保つことができるようになった。特に、除氷運転中に紫外線照射器５０から紫外線を照射するように制御していることで、紫外線照射器５０を作動させた熱を除氷運転時おける製氷部２１の加温に用いることができる。なお、通光部２１ｃには細孔を採用したが、これに限られるものでなく、通光部２１ｃには紫外線を透過可能な部材を用いたものであってもよい。
【００３９】
（第５実施例）
第５実施例の製氷機１０は、第３実施例の製氷機１０の紫外線照射器５０の配置と紫外線の照射方向を変えたものである。図１０に示したように、第５実施例の製氷機１０の貯氷室４０では、製氷部２１の下部に紫外線照射器５０が配置されており、紫外線照射器５０の紫外線の照射方向を下側の水皿２４に向け、紫外線照射器５０は製氷部２１の下側の水皿２４の上面に向けて紫外線を照射している。この第５実施例でも、図１０（ｂ）に示したように、除氷運転中または、氷量検知センサ４１によって貯氷室４０内の氷が満杯となって除氷運転後に製氷運転を待機させているときに紫外線照射器５０から紫外線を照射するように制御し、水皿２４の上面及びドレンパン２８の上面に向けて紫外線を照射するようにした。これによって、貯氷室４０内にて製氷機構２０の下部に紫外線を照射して殺菌をし、貯氷室４０内の製氷機構２０を清潔に保つことができるようになった。特に、除氷運転中に紫外線照射器５０から紫外線を照射するように制御していることで、紫外線照射器５０を作動させた熱を除氷運転時おける製氷部２１の加温に用いることができる。
【００４０】
（第６実施例）
第６実施例の製氷機１０は、第１実施例の製氷機１０の水皿２４を紫外線を透過可能な材質を用いるようにするとともに、紫外線照射器５０の配置を変えたものである。図１１に示したように、水皿２４の下面に紫外線照射器５０を配置し、紫外線照射器５０の紫外線の照射方向を上側の水皿２４に向け、紫外線照射器５０は水皿２４及び水皿２４の上側の製氷部２１に向けて紫外線を照射している。これによって、貯氷室４０内にてメンテナンスしにくい製氷機構２０の製氷部２１及び水皿２４に紫外線照射器５０から紫外線を照射して殺菌をし、貯氷室４０内の製氷機構２０を清潔に保つことができるようになった。
【００４１】
（第７実施例）
第７実施例の製氷機１０は、第１実施例の製氷機１０における紫外線照射器５０の配置を変えたものである。水皿２４は水平方向の一方の端部で水平軸線回りに回動可能に支持され、水皿２４を閉止位置と開放位置と回動させたときに、水皿２４の水平方向の他方の端部が上下動するようになっている。図１２に示したように、第７実施例の製氷機１０では、水皿２４の水平方向の他方の端部に紫外線照射器５０を配置し、紫外線照射器５０の紫外線の照射方向を紫外線照射器５０の対向する貯氷室４０の側壁に向け、紫外線照射器５０は貯氷室４０における対向する側壁に向けて紫外線を照射するようにしている。これによって、紫外線照射器５０から紫外線を製氷運転時と除氷運転時とで異なる位置に照射することができ、貯氷室４０の広い範囲に紫外線を照射して殺菌することができるようになった。
【００４２】
（第８実施例）
第８実施例の製氷機１０は、第１実施例の製氷機１０の製氷水タンク２５を紫外線を透過可能な材質を用いるようにするとともに、紫外線照射器５０の配置を変えたものである。図１３に示したように、製氷水タンク２５の底壁下面に紫外線照射器５０を配置し、紫外線照射器５０の紫外線の照射方向を上側の製氷水タンク２５内に向け、紫外線照射器５０は製氷水タンク２５の内部及び水皿２４に向けて紫外線を照射している。これによって、貯氷室４０内にてメンテナンスしにくい製氷機構２０の製氷水タンク２５及び水皿２４に紫外線照射器５０から紫外線を照射して殺菌をし、貯氷室４０内の製氷機構２０を清潔に保つことができるようになった。なお、製氷水タンク２５における紫外線照射器５０を取り付けた位置だけ紫外線を透過可能な材質を用いるようにしてもよい。
【００４３】
（第９実施例）
第９実施例の製氷機１０は、第８実施例の製氷機１０における紫外線照射器５０の配置を変えたものである。図１４に示したように、水皿２４の下面に紫外線照射器５０を配置し、紫外線照射器５０の紫外線の照射方向を下側の製氷水タンク２５の内部に向け、紫外線照射器５０は製氷水タンク２５の内部及び紫外線が透過される製氷水タンク２５の下側のドレンパン２８に向けて紫外線を照射している。これによって、貯氷室４０内にてメンテナンスしにくい製氷機構２０の製氷水タンク２５及びドレンパン２８に紫外線照射器５０から紫外線を照射して殺菌をし、貯氷室４０内の製氷機構２０を清潔に保つことができるようになった。
【００４４】
（第１０実施例）
第１０実施例の製氷機１０は、第１実施例の製氷機１０における紫外線照射器５０の配置を変えたものである。図１５に示したように、第１０実施例の製氷機１０では、製氷水タンク２５の底壁下面に紫外線照射器５０を配置し、紫外線照射器５０の紫外線の照射方向を下側のドレンパン２８に向け、紫外線照射器５０は下側のドレンパン２８に向けて紫外線を照射している。これによって、貯氷室４０内にてメンテナンスしにくい製氷機構２０のドレンパン２８に紫外線照射器５０から紫外線を照射して殺菌をし、貯氷室４０内の製氷機構２０を清潔に保つことができるようになった。
【００４５】
（第１１実施例）
第１１実施例の製氷機１０は、第１実施例の製氷機１０における紫外線照射器５０の配置を変えたものである。図１６に示したように、第１１実施例の製氷機１０ではドレンパン２８の上面に紫外線照射器５０を配置し、紫外線照射器５０の紫外線の照射方向を上側の製氷水タンク２５に向け、紫外線照射器５０はドレンパン２８の上側の製氷水タンク２５に向けて紫外線を照射している。これによって、貯氷室４０内にてメンテナンスしにくい製氷機構２０のドレンパン２８の上側の空間及び製氷水タンク２５の下面に紫外線照射器５０から紫外線を照射して殺菌をし、貯氷室４０内の製氷機構２０を清潔に保つことができるようになった。
【００４６】
（第１２実施例）
第１２実施例の製氷機１０は、第１実施例の製氷機１０における紫外線照射器５０の配置を変えたものである。図１７に示したように、第１２実施例の製氷機１０ではドレンパン２８の下面に紫外線照射器５０を配置し、紫外線照射器５０は貯氷室４０におけるドレンパン２８の下側の空間に向けて紫外線を照射している。これによって、貯氷室４０内にてメンテナンスしにくい製氷機構２０のドレンパン２８の下側の空間に紫外線照射器５０から紫外線を照射して殺菌をし、貯氷室４０内の製氷機構２０を清潔に保つことができるようになった。
【００４７】
次に、貯氷室４０内に収容するスコップＳまたはスコップＳの周囲に紫外線照射器５０から紫外線を照射して殺菌するようにして、スコップＳまたはスコップＳの周囲に細菌が繁殖するのを抑制する第１３〜第１５実施例について説明する。特に、貯氷室４０から氷を取り出すスコップＳは使用者の手で把持されるだけでなく、使用途中で厨房の調理台等で一時的に載置されることがあり、スコップＳには外部から細菌が付着しやすくなっている。細菌が付着したスコップＳを用いて貯氷室４０内の氷を取り出そうとすると、貯氷室４０内の氷に細菌が付着するようになるおそれがある。第１３〜第１５実施例に示したように、紫外線照射器５０から貯氷室４０内に収容するスコップＳまたはスコップＳの周囲に紫外線を照射して殺菌することで、スコップＳから貯氷室４０内に持ち込まれる細菌を殺菌して、貯氷室４０内を清潔に保つことができるようになった。
【００４８】
（第１３実施例）
第１３実施例の製氷機１０は、第１実施例の製氷機１０における紫外線照射器５０の配置を変えたものである。図１８に示したように、第１３実施例の製氷機１０ではドレンパン２８の下面に取り付けられたスコップＳのホルダ４２の収容空間４２ａ内に紫外線照射器５０を配置し、紫外線照射器５０はホルダ４２の収容空間４２ａ内のスコップＳに紫外線を照射している。紫外線照射器５０はドレンパン２８の下面及びホルダ４２の奥部にてスコップＳと対向する位置に配置され、ホルダ４２の収容空間４２ａ内に収容されたスコップＳは紫外線照射器５０から照射される紫外線によって殺菌される。これによって、貯氷室４０内にてホルダ４２の収容空間４２ａに収容されたスコップＳは紫外線照射器５０から照射される紫外線により殺菌され、ホルダ４２に収容したスコップＳを清潔に保つことができるようになった。
【００４９】
この第１３実施例では、ドレンパン２８の下面及びホルダ４２の奥部に紫外線照射器５０を配置したが、ホルダ４２の内周面にてスコップＳに対向する位置に紫外線照射器５０を配置したものであってもよい。さらに、図１９に示したように、ホルダ４２の収容空間４２ａと上側の製氷機構２０との間に紫外線照射器５０を配置する一例として、ドレンパン２８に紫外線照射器５０を埋め込むように配置したときには、紫外線照射器５０から上側にある製氷機構２０に紫外線を照射するとともに、下側にあるホルダ４２内のスコップＳに紫外線を照射することができ、製氷機構２０とスコップＳとを紫外線照射器５０によって一度に殺菌することできるようになった。
【００５０】
（第１４実施例）
第１４実施例の製氷機１０は、第１３実施例の製氷機１０におけるホルダ４２と紫外線照射器５０の配置を変えたものである。図２０に示したように、第１４実施例の製氷機１０では、ホルダ４２を貯氷室４０の側壁内面に取り付けるようして、貯氷室４０の側壁内面とホルダ４２との間に収容空間４２ａを形成するようにしたものである。紫外線照射器５０はホルダ４２の収容空間４２ａ内にて収容するスコップＳと対向する位置に配置され、収容空間４２ａに収容したスコップＳは紫外線照射器５０から照射される紫外線により殺菌される。これによって、貯氷室４０内にてホルダ４２の収容空間４２ａに収容されたスコップＳは紫外線照射器５０から照射される紫外線により殺菌され、ホルダ４２に収容したスコップＳを清潔に保つことができるようになった。なお、紫外線照射器５０をホルダ４２の内周面に取り付けたが、これに限られるものでなく、貯氷室４０の側壁内面にてホルダ４２に収容したスコップＳと対向する位置に配置してもよい。
【００５１】
この第１４実施例では、ホルダ４２内に紫外線照射器５０を配置したが、図２１に示したように、氷量検知センサ４１に紫外線照射器５０を配置し、紫外線照射器５０からホルダ４２の外側及び（または）製氷機構２０に紫外線を照射するようにしたものであってもよい。
【００５２】
（第１５実施例）
第１５実施例の製氷機１０は、第１３実施例の製氷機１０のホルダ４２に代えて、貯氷室４０内にスコップＳを保持するフック４２Ａを設け、フック４２Ａに保持させたスコップＳに向けて紫外線を照射させるように紫外線照射器５０の配置を変えたものである。図２２及び図２３に示したように、第１５実施例の製氷機１０では、フック４２Ａはドレンパン２８の前面に設けられており、スコップＳは貯氷室４０の上側前部にてフック４２Ａにより吊り下げて保持される。紫外線照射器５０はドレンパン２８の前面に配置されており、紫外線照射器５０はフック４２Ａに吊り下げられたスコップＳと対向する位置に配置されている。紫外線照射器５０の照射方向はフック４２Ａに吊り下げられたスコップＳに向けられており、フック４２Ａに吊り下げられたスコップＳは紫外線照射器５０から照射される紫外線によって殺菌される。これによって、貯氷室４０内にてフック４２Ａにより保持されたスコップＳは紫外線照射器５０から照射される紫外線により殺菌され、貯氷室４０内にてフック４２Ａに保持したスコップＳを清潔に保つことができるようになった。
【００５３】
次に、紫外線照射器５０から貯氷室４０内に紫外線を照射して殺菌するようにして、貯氷室４０で細菌が繁殖するのを抑制する第１６〜第２０実施例について説明する。
【００５４】
（第１６実施例）
第１６実施例の製氷機１０は、第１実施例の製氷機１０における紫外線照射器５０の配置を変えたものである。図２４に示したように、第１６実施例の製氷機１０では、紫外線照射器５０は貯氷室４０の冷媒管導入口４０ａと対向する位置に配置され、紫外線照射器５０の紫外線の照射方向は冷媒管導入口４０ａに向けられ、紫外線照射器５０は冷媒管導入口４０ａに向けて紫外線を照射している。これによって、機械室１２から冷媒管導入口４０ａを通って貯氷室４０内に流入する空気を紫外線照射器５０から紫外線を照射して殺菌をし、貯氷室４０内を清潔に保つことができるようになった。
【００５５】
（第１７実施例）
第１７実施例の製氷機１０は、第１実施例の製氷機１０における紫外線照射器５０の配置を変えたものである。図２５に示したように、第１７実施例の製氷機１０では、貯氷室４０の側壁に紫外線照射器５０を配置し、紫外線照射器５０は貯氷室４０の内部に向けて紫外線を照射している。特に、紫外線照射器５０は製氷機構２０により製氷した氷が通過(落下)する通過経路や、氷が積み上がる位置に配置されており、貯氷室４０内の氷が通過する位置や積み上がった氷を清潔に保つことができるようになった。
【００５６】
（第１８実施例）
第１８実施例の製氷機１０は、第１実施例の製氷機１０における紫外線照射器５０の配置を変えたものである。図２６に示したように、第１８実施例の製氷機１０では、貯氷室４０の底部に設けた排水口４３に紫外線照射器５０を配置し、紫外線照射器５０の紫外線の照射方向を排水口４３に向け、紫外線照射器５０は排水口４３に紫外線を照射している。これにより、貯氷室４０の排水口４３は紫外線照射器５０から照射される紫外線によって殺菌され、貯氷室４０内を清潔に保つことができるようになった。
【００５７】
（第１９実施例）
第１９実施例の製氷機１０は、第１実施例の製氷機１０における紫外線照射器５０の配置を変えたものである。図２７に示したように、第１９実施例の製氷機１０では、貯氷室４０の下部に水を下側に流すようにした状態で氷を受ける簀の子４５が設けられている。貯氷室４０の底壁上面には氷が融けた水が残りやすくなっており、貯氷室４０の底壁上面に細菌が繁殖しやすくなっている。このため、簀の子４５の下面に紫外線照射器５０を配置し、紫外線照射器５０の紫外線の照射方向を下側の貯氷室４０の底壁上面に向け、紫外線照射器５０は貯氷室４０の底壁上面(底部)に紫外線を照射している。これにより、貯氷室４０の底壁上面は紫外線照射器５０から照射される紫外線によって殺菌され、貯氷室４０内を清潔に保つことができるようになった。
【００５８】
（第２０実施例）
第２０実施例の製氷機１０は、第１９実施例の製氷機１０における紫外線照射器５０の配置を変えたものである。図２８に示したように、第２０実施例の製氷機１０では貯氷室４０の底壁上面(底部）に紫外線照射器５０が配置されている。紫外線照射器５０の紫外線の照射方向は簀の子４５の下面に向けられており、紫外線照射器５０は簀の子４５の下面に紫外線を照射している。これにより、簀の子４５の下面は紫外線照射器５０から照射される紫外線によって殺菌され、貯氷室４０内を清潔に保つことができるようになった。
【００５９】
次に、紫外線照射器５０からハウジング１１に設けた開口部１１ａの周囲に紫外線を照射して殺菌するようにして、開口部１１ａから貯氷室４０に細菌が流入するのを抑制する第２１〜第２３実施例について説明する。ハウジング１１の前面上部に設けた開口部１１ａを開閉する扉１３を開放したときには、貯氷室４０が外側に開放された状態となり、大気中に浮遊する細菌が貯氷室４０に流入するおそれがある。第２１〜第２３実施例に示したように、ハウジング１１の開口部１１ａの周縁部（周囲）と、扉１３と、貯氷室４０における開口部１１ａの周縁部（周囲）の少なくとも１つに紫外線照射器５０から紫外線を照射するようにしたときには、貯氷室４０に細菌が流入するのを抑制することができ、貯氷室４０を清潔に保つことができるようになった。
【００６０】
（第２１実施例）
第２１実施例の製氷機１０は、第１実施例の製氷機１０における紫外線照射器５０の配置を変えたものである。図２９に示したように、第２１実施例の製氷機１０では、貯氷室４０におけるハウジング１１の開口部１１ａ（閉じられた状態の扉１３）と対向する位置に紫外線照射器５０が配置されており、紫外線照射器５０はハウジング１１の開口部１１ａ（閉じられた状態の扉１３）に向けて紫外線を照射している。これによって、扉１３を開放したときに外側から貯氷室４０に流入した細菌を紫外線照射器５０から照射される紫外線によって殺菌することができ、貯氷室４０内を清潔に保つことができるようになった。また、扉１３が閉じられている状態では、扉１３の貯氷室４０側の側面及びスロープ１５に紫外線照射器５０から照射される紫外線が照射され、扉１３及びスロープ１５を清潔に保つことができるようになった。なお、この実施例２１においては、扉開放検知センサ１４により扉１３が閉止されていることを検知しているときに、紫外線照射器５０から紫外線を照射するように制御するのが好ましい。このように制御したときには、扉１３を開放したときに使用者に紫外線が照射されるのを防ぐことができる。  
【００６１】
（第２２実施例）
第２２実施例の製氷機１０は、第２１実施例の製氷機１０における紫外線照射器５０の配置を変えたものである。図３０に示したように、第２２実施例の製氷機１０では、スロープ１５には紫外線を透過可能な材質を用いるとともに、扉１３に紫外線照射器５０を配置している。扉１３が閉じられた状態での紫外線照射器５０の紫外線の照射方向は貯氷室４０内に向けられており、紫外線照射器５０は扉１３の閉止状態で貯氷室４０におけるハウジング１１の開口部１１ａの周縁に向けて紫外線を照射している。これによって、扉１３を閉じた後で、扉１３を開放したときに外側から貯氷室４０に流入した細菌を紫外線照射器５０から照射される紫外線によって殺菌することができ、貯氷室４０内を清潔に保つことができるようになった。なお、この実施例２２においても、扉開放検知センサ１４により扉１３が閉止されていることを検知しているときに、紫外線照射器５０から紫外線を照射するように制御するのが好ましい。このように制御したときには、扉１３を開放したときに使用者に紫外線が照射されるのを防ぐことができる。
【００６２】
（第２３実施例）
第２３実施例の製氷機１０は、第２１実施例の製氷機１０における紫外線照射器５０の配置を変えたものである。図３１に示したように、第２３実施例の製氷機では、貯氷室４０の扉１３と対向する位置にはスロープ１５が回動可能に設けられており、紫外線照射器５０はスロープ１５に配置されている。扉１３が閉じられた状態での紫外線照射器５０の紫外線の照射方向は貯氷室４０内に向けられており、紫外線照射器５０は貯氷室４０におけるハウジング１１の開口部１１ａの周縁に向けて紫外線を照射している。扉１３を閉じた後で、扉１３を開放したときに外側から貯氷室４０に流入した細菌を紫外線照射器５０から照射される紫外線によって殺菌することができ、貯氷室４０内を清潔に保つことができるようになった。なお、この実施例では、紫外線照射器５０から貯氷室４０におけるハウジング１１の開口部１１ａの周囲部分に向けて紫外線を照射するようにしているが、これに限られるものでなく、紫外線照射器５０からスロープ１５に向けて紫外線を照射するようにしたものであってもよい。さらに、紫外線照射器５０からスロープ１５と扉１３に紫外線を照射するとともに、スロープ１５と貯氷室４０に紫外線を照射するようにしたものであってもよい。また、スロープ１５の落下防止部１５ａに紫外線照射器５０を配置したものであってもよい。
【００６３】
次に、紫外線照射器５０から扉１３の開閉操作部１３ａに紫外線を照射して殺菌するようにした第２４〜第２６実施例について説明する。扉１３の開閉操作部１３ａは使用者が手で触れるために細菌が付着しやすくなっており、細菌が付着した開閉操作部１３ａを把持した手で貯氷室４０内の氷を取り出そうとすると、貯氷室４０で細菌が繁殖するおそれがある。第２４〜第２６実施例に示したように、紫外線照射器から扉１３の開閉操作部１３ａに紫外線を照射して殺菌したときには、扉１３の開閉操作部１３ａを介して貯氷室４０内に細菌が侵入するのを抑制することができる。
【００６４】
（第２４実施例）
図３２に示したように、第２４実施例の製氷機１０では、扉１３の上部には扉の開閉操作をするための取手よりなる開閉操作部１３ａが設けられている。開閉操作部１３ａは左右方向に延び、前後方向に沿った縦方向の断面が手指を入れて引っかけられるように略ク字形をしている。開閉操作部１３ａの左右の両端部に紫外線照射器５０が配置されており、紫外線照射器５０の紫外線の照射方向は開閉操作部１３ａの手指を入れる内部空間に向けられており、紫外線照射器５０は開閉操作部１３ａの手指が触れる内部に向けて紫外線を照射している。これにより、開閉操作部１３ａに付着する細菌を紫外線照射器５０から照射される紫外線によって殺菌することができ、扉１３の開閉操作部１３ａを介して貯氷室４０に細菌が侵入するのを抑制することができるようになった。なお、この第２４実施例においては、使用者が製氷機１０から氷を取り出さない時間帯として例えば深夜時間帯に紫外線照射器５０から紫外線を照射するように制御するのが好ましい。このように制御したときには、紫外線照射器５０から使用者に紫外線が照射されるのを防ぐことができる。
【００６５】
（第２５実施例）
第２５実施例の製氷機１０では、第２４実施例の製氷機１０における紫外線照射器５０の配置を変えたものである。図３３に示したように、第２５実施例の製氷機１０では、前後方向に沿った縦方向断面形状が略ク字形をした開閉操作部１３ａの下部に紫外線照射器５０を配置し、紫外線照射器５０の紫外線の照射方向を使用者が手で引っかける部分となる上部に向け、紫外線照射器５０は開閉操作部１３ａの手指が触れる部分に向けて紫外線を照射している。これにより、開閉操作部１３ａに付着する細菌を紫外線照射器５０から照射される紫外線によって殺菌することができ、扉１３の開閉操作部１３ａを介して貯氷室４０に細菌が侵入するのを抑制することができるようになった。なお、この第２５実施例においても、使用者が製氷機１０から氷を取り出さない時間帯として、例えば深夜時間帯に紫外線照射器５０から紫外線を照射するように制御するのが好ましい。このように制御したときには、紫外線照射器５０から使用者に紫外線が照射されるのを防ぐことができる。
【００６６】
（第２６実施例）
第２６実施例の製氷機１０では、第２４実施例の製氷機１０における紫外線照射器５０の配置を変えたものである。図３４に示したように、第２５実施例の製氷機１０では、前後方向に沿った縦方向断面形状が略ク字形をした開閉操作部１３ａの上部に紫外線照射器５０を配置し、紫外線照射器５０の紫外線の照射方向を埃等が溜まりやすい下部に向け、紫外線照射器５０は開閉操作部１３ａの下部に向けて紫外線を照射している。これにより、開閉操作部１３ａに付着する細菌を紫外線照射器５０から照射される紫外線によって殺菌することができ、扉１３の開閉操作部１３ａを介して貯氷室４０に細菌が侵入するのを抑制することができるようになった。なお、この第２６実施例においても、使用者が製氷機１０から氷を取り出さない時間帯として、例えば深夜時間帯に紫外線照射器５０から紫外線を照射するように制御するのが好ましい。このように制御したときには、紫外線照射器５０から使用者に紫外線が照射されるのを防ぐことができる。
【００６７】
第２４〜第２６実施例の製氷機１０の扉１３の開閉操作部１３ａは左右方向に延び、縦方向の断面が手指を入れて引っかけられるように略ク字形をしているが、後述する図４１に示した第２実施形態の製氷機１０のように、扉１３の前面の上縁から上側に突出するようにした開閉操作部１３ａとしたものに、上記の第２４〜第２５実施例の製氷機１０のような紫外線照射器５０の配置としたものであってもよい。また、扉１３の前面上部に後側が開くように取り付けたコ字形の取手よりなる開閉操作部の上側または下側に紫外線照射器を配置し、開閉操作部に向けて紫外線照射器から紫外線を照射するようにしてもよい。
【００６８】
図３５に示したように、引き戸のように扉１３が左右にスライド移動可能に取り付けられたものにおいては、ハウジング１１の開口部１１ａの上側（及び／または下側）に紫外線照射器５０を配置し、扉１３の左右方向の端部に設けた開閉操作部１３ａに向けて紫外線照射器５０から紫外線を照射するようにしてもよいし(図３５（ａ）に示した)、ハウジング１１の開口部１１ａの左右両側（左側または右側）に紫外線照射器５０を配置し、扉１３の左右方向の端部に設けた開閉操作部１３ａに向けて紫外線照射器５０から紫外線を照射するようにしてもよい(図３５（ｂ）に示した)。
【００６９】
次に、紫外線照射器５０から機械室１２に紫外線を照射して殺菌するようにした第２７〜第３１実施例について説明する。上述したように、ハウジング１１内の機械室１２には蒸発器２２ｄを除く冷凍装置２２が収容されており、機械室１２内は圧縮機２２ａの作動による発熱や凝縮器２２ｂを構成する熱交換器２２ｂ１を冷却したときの放熱により温度が高くなっている。また、機械室１２には凝縮器２２ｂの熱交換器２２ｂ１を冷却するための外気が冷却ファン２２ｂ２によって導入されている。このため、機械室１２内は温度が高い状態で外気が導入されているために細菌が繁殖しやすくなっている。第２７〜第３１実施例に示したように、紫外線照射器５０から機械室１２に紫外線を照射して殺菌したときには、細菌の繁殖しやすい機械室１２を清潔に保つことができ、機械室１２から貯氷室４０への細菌の侵入を抑制することができる。
【００７０】
（第２７実施例）
図３６に示したように、第２７実施例の製氷機１０では、機械室１２の上部に紫外線照射器５０が配置されており、紫外線照射器５０は機械室１２の内部に紫外線を照射している。特にこの実施例では、紫外線照射器５０の紫外線の照射方向は機械室１２内にて凝縮器２２ｂの熱交換器２２ｂ１を冷却する冷却ファン２２ｂ２の空気が流れる経路に向けられており、紫外線照射器５０は機械室１２内で凝縮器２２ｂの熱交換器２２ｂ１を冷却する冷却ファン２２ｂ２により流れる空気に紫外線を照射して殺菌している。これにより、機械室１２に流入する細菌を紫外線照射器５０から照射される紫外線によって殺菌することができ、機械室１２から貯氷室４０内への細菌の侵入を抑制し、貯氷室４０内を清潔に保つことができるようになった。
【００７１】
（第２８実施例）
第２８実施例の製氷機１０は、第２７実施例の製氷機１０における紫外線照射器５０の配置を変えたものである。凝縮器２２ｂの熱交換器２２ｂ１は冷却ファン２２ｂ２によって空気が吹き付けられているので、凝縮器２２ｂには空気に含まれる細菌が付着しやすくなっている。図３７に示したように、凝縮器２２ｂの熱交換器２２ｂ１に紫外線照射器５０を配置し、紫外線照射器５０は凝縮器２２ｂ１に向けて紫外線を照射して殺菌している。これにより、凝縮器２２ｂに付着した細菌を紫外線照射器５０から照射される紫外線によって殺菌することができ、機械室１２から貯氷室４０内への細菌の侵入を抑制し、貯氷室４０内を清潔に保つことができるようになった。
【００７２】
（第２９実施例）
第２９実施例の製氷機１０は、第２７実施例の製氷機１０における紫外線照射器５０の配置を変えたものである。図３８に示したように、第２６実施例の製氷機では、機械室１２内には凝縮器２２ｂの外側を通風可能に覆うシュラウド２２ｂ３が設けられており、シュラウド２２ｂ３内に紫外線照射器５０が配置されている。冷却ファン２２ｂ２によりシュラウド２２ｂ３内を通過する空気は紫外線照射器５０から照射される紫外線によって殺菌されるので、細菌の繁殖しやすい機械室１２を清潔に保つことができ、機械室１２から貯氷室４０への細菌の侵入を抑制することができる。
【００７３】
（第３０実施例）
第３０実施例の製氷機１０は、第２７実施例の製氷機１０における紫外線照射器５０の配置を変えたものである。図３９に示したように、ハウジング１１内の貯氷室４０の後側には機械室１２に配置された凝縮器２２ｂから貯氷室４０の製氷機構２０に冷媒を送る冷媒管２２ｅを配設した配管経路１１ｂが設けられており、紫外線照射器５０はこの配管経路１１ｂに配置されている。これにより、機械室１２から配管経路１１ｂに流入した空気を紫外線照射器５０から照射される紫外線により殺菌することができ、配管経路１１ｂから貯氷室４０内への細菌の侵入を抑制し、貯氷室４０内を清潔に保つことができるようになった。
【００７４】
（第３１実施例）
第３１実施例の製氷機１０は、第２７実施例の製氷機１０における紫外線照射器５０の配置を変えたものである。図４０に示したように、ハウジング１１内の貯氷室４０の後側には機械室１２に配置された凝縮器２２ｂから貯氷室４０の製氷機構２０に冷媒を送る冷媒管２２ｅを配設した配管経路１１ｂが設けられており、紫外線照射器５０はこの配管経路１１ｂの機械室１２側の入口部１２ａに配置されている。これにより、機械室１２から配管経路１１ｂに流入する空気を紫外線照射器５０から照射される紫外線により殺菌することができ、配管経路１１ｂから貯氷室４０内への細菌の侵入を抑制し、貯氷室４０内を清潔に保つことができるようになった。
【００７５】
次に、第２実施形態の製氷機について説明する。図４１及び図４２に示したように、第２実施形態の製氷機１０は、所謂オーガ式の製氷機構を備えた製氷機であり、ハウジング１１の略右半部に貯氷室４０と、ハウジング１１の略左半部の機械室１２内に冷凍装置２２Ａを含めた製氷機構２０Ａとを収容したものである。
【００７６】
図４３に示したように、ハウジング１１の左半部に収容された製氷機構２０Ａは、ハウジング１１の後半部に円筒形をした製氷筒２１Ａと、製氷筒２１Ａを冷却する冷凍装置２２Ａと、製氷筒２１Ａ内に回転可能に設けられたオーガ２３Ａと、オーガ２３Ａを回転させるギヤモータ２４Ａとを備えている。また、製氷機構２０Ａは、ハウジング１１の前半部に冷凍装置２２Ａを備えており、冷凍装置２２Ａは蒸発器２２Ａｄが製氷筒２１Ａの外周に巻回されていることと、ホットガス管２２ｆとホットガス弁２２ｇとを備えていないこと以外については第１実施形態の冷凍装置２２と同様である。
【００７７】
製氷筒２１Ａ内には製氷水は冷凍装置２２Ａの作動によって製氷筒２１Ａの内周面で凍結する。製氷筒２１Ａの内周面で凍結した氷は回転するオーガ２３Ａの螺旋刃２３Ａａによって削り取られて氷片となって放出口２１Ａｂからハウジング１１内の貯氷室４０内に送られる。
【００７８】
図４２に示したように、貯氷室４０内の右側壁（側壁）にはフック４２Ａが設けられており、貯氷室４０内の氷を取り出すスコップＳはこのフック４２Ａに引っかけられて保持される。貯氷室４０の右側壁には紫外線照射器５０が配置されており、紫外線照射器５０の紫外線の照射方向はフック４２Ａに保持されたスコップＳに向けられており、紫外線照射器５０はフック４２Ａに保持されたスコップＳに紫外線を照射している。この実施形態では、紫外線照射器５０を貯氷室４０の右側壁に配置したが、これに限られるものでなく、フック４２Ａに紫外線照射器５０を配置してもよい。また、この第２実施形態の製氷機１０では、貯氷室４０の右側壁にフック４２Ａと紫外線照射器５０を設けたが、これに限られるものでなく、第１実施形態の製氷機１０の第１４実施例のようにホルダ４２を用いるとともに、ホルダ４２内の収容空間４２ａに紫外線を照射するように紫外線照射器５０を配置したものであってもよい。
【００７９】
また、この第２実施形態の製氷機１０においても、第１実施形態の製氷機１０の第１６〜第２０実施例のように貯氷室４０内の各所に紫外線照射器５０を配置して、貯氷室４０で細菌が繁殖するのを抑制するようにしてもよい。同様に、この第２実施形態の製氷機１０においても、第１実施形態の製氷機１０の第２１〜２３実施例のように、ハウジング１１に設けた開口部１１ａの周囲に紫外線を照射して殺菌するようにして、開口部１１ａから貯氷室４０に細菌が流入するのを抑制するようにしてもよい。同様に、第１実施形態の製氷機１０の第２４〜２６実施例のように紫外線照射器５０から扉１３の開閉操作部１３ａに紫外線を照射して殺菌するようにし、扉１３の開閉操作部１３ａを介して貯氷室４０内に細菌が侵入するのを抑制するようにしてもよい。同様に、第１実施形態の製氷機１０の第２７〜３１実施例のように、ハウジング１１内の機械室１２に紫外線照射器５０から紫外線を照射して殺菌し、機械室１２から貯氷室４０への細菌の侵入を抑制するようにしてもよい。
【００８０】
次に、第３実施形態の製氷機について説明する。図４４及び図４５に示したように、第３実施形態の製氷機１０も、所謂オーガ式の製氷機構を備えた製氷機であり、ハウジング１１の前側下部に製氷機構２０Ａと、前側上部に貯氷室４０と、ハウジング１１の後部の機械室１２内に冷凍装置２２Ａを備えたものである。さらに、この第３実施形態の製氷機１０は、貯氷室４０内の氷を放出口４０ｂから自動で放出するディスペンス機能を有している。製氷機構２０Ａについては、上述した第２実施形態の製氷機構２０Ａと実質的に同じオーガ式の製氷機構である。
【００８１】
この第３実施形態のディスペンス機能を有した製氷機１０では、氷の放出口４０ｂは氷を放出後に残る水滴によって細菌が繁殖しやすくなっている。このため、この製氷機１０では、氷の放出口４０ｂに紫外線照射器５０を配置し、紫外線照射器５０は氷の放出口４０ｂ及びその周囲の氷の通過経路に紫外線を照射している。これにより、氷の放出口４０ｂを紫外線照射器５０から照射される紫外線により殺菌することができ、氷の放出口４０ｂから放出される氷を清潔に保つことができるようになった。
【００８２】
また、この第３実施形態の製氷機１０においても、第１実施形態の製氷機１０の第１６〜第２０実施例のように貯氷室４０内の各所に紫外線照射器５０を配置して、貯氷室４０で細菌が繁殖するのを抑制するようにするのが好ましい。同様に、第１実施形態の製氷機１０の第２７〜３１実施例のように、ハウジング１１内の機械室１２に紫外線照射器５０から紫外線を照射して殺菌し、機械室１２から貯氷室４０への細菌の侵入を抑制するのが好ましい。
【００８３】
次に、第４実施形態の製氷機について説明する。図４６に示したように、第４実施形態の製氷機１０も、所謂オーガ式の製氷機構を備えた製氷機であり、ハウジング１１の上部の機械室１２に製氷機構２０と、下部に貯氷室４０とを備えたものである。この第４実施形態の製氷機１０は、製氷機構２０で製氷した氷を下側の貯氷室４０に送るシュート（通過経路）４６が設けられている。なお、製氷機構２０については、上述した第２実施形態の製氷機構２０Ａと実質的に同じオーガ式の製氷機構である。
【００８４】
この第４実施形態のディスペンス機能を有した製氷機１０では、シュート４６は氷を通過させた後で残る水滴によって細菌が繁殖しやすくなっている。このため、この製氷機１０では、シュート４６に紫外線照射器５０を配置し、紫外線照射器５０はシュート４６の内部の氷の通過経路に紫外線を照射している。これにより、シュート４６内を紫外線照射器５０から照射される紫外線により殺菌することができ、シュート４６を通る氷を清潔に保つことができるようになった。なお、シュート４６の内周面に紫外線を反射させる反射部を設けたときには、紫外線照射器５０から照射される紫外線は反射部によって反射し、シュート４６内の広い範囲に紫外線を照射させることができる。
【００８５】
次に、第５実施形態の製氷機について説明する。第５実施形態の製氷機は、所謂流下式の製氷機構を備えた製氷機であり、ハウジングの上部に製氷機構と、下部に貯氷室とを備えたものである。この第５実施形態の製氷機の製氷機構は、製氷面が互いに外側に配置されるように垂直に立設させた一対の製氷板の間に冷凍装置を構成する蒸発器が配設されたものである。製氷運転を実行するときには冷凍装置によって一対の製氷板を冷却して各製氷面を流下させた製氷水を凍結させて製氷し、製氷運転後に除氷運転をするときには冷凍装置によって一対の製氷板を加温するとともに一対の製氷板の間に除氷のための水を流下させて製氷面で製氷した氷を離脱させるようにしたものである。
【００８６】
この第５実施形態の製氷機では、一対の製氷板の間に紫外線照射器を配置して、紫外線照射器から一対の製氷板の間に紫外線を照射するようにした。これによって、一対の製氷板の間を紫外線照射器から照射される紫外線により殺菌することができ、一対の製氷板の間を清潔に保つことができるようになった。また、除氷運転時に紫外線照射器から紫外線を照射することで、紫外線照射器の作動による熱を製氷板に伝えて除氷に用いることができ、紫外線照射器の作動による発熱を除氷に有効に活用することができた。
【００８７】
また、図４７に示したように、貯氷室４０の下部に氷を砕くクラッシャ４７を回転可能に設けたものにおいては、クラッシャ４７に紫外線照射器５０を配置し、クラッシャ４７と対向する位置の側壁に紫外線照射器５０から紫外線を照射している。これにより、クラッシャ４７の周囲を殺菌して、クラッシャ４７の周囲を清潔に保つことができる。また、クラッシャ４７は回転することによって氷を砕くものであり、クラッシャ４７に紫外線照射器５０を配置したときには、紫外線照射器５０もクラッシャ４７とともに回転するため、貯氷室４０内にてクラッシャ４７の周囲に広範囲に紫外線を照射することができる。なお、貯氷室４０の下部にてクラッシャ４７と対向する位置の側壁に紫外線照射器５０を配置したものであってもよい。
【００８８】
上記の各実施形態及び各実施例では、貯氷室４０と機械室１２とハウジング１１の少なくとも１つに紫外線照射器５０から紫外線を照射して殺菌するものであるが、これに限られるものでなく、各実施形態及び各実施例の紫外線照射器５０を適宜組み合わせたものであってもよい。また、上記の各実施形態及び実施例において、紫外線照射器５０と対向する位置に紫外線を反射させる反射部を設け、紫外線照射器５０から照射される紫外線を反射部により反射させるのが好ましい。このようにしたときには、紫外線照射器５０から照射される紫外線を広い範囲に反射させて、広い範囲を殺菌することができる。
【符号の説明】
【００８９】
１０…製氷機、１１…ハウジング、１１ａ…開口部、１１ｂ…配管経路、１２…機械室、１３…扉、１３ａ…開閉操作部、１４…扉開放検知センサ、１５…スロープ、２０…製氷機構、２１…製氷部、２１ｂ…製氷小室、２２…冷凍装置、２２ｂ１…熱交換器、２２ｂ２…冷却ファン、２２ｂ３…シュラウド、２４…水皿、２５…製氷水タンク、２８…ドレンパン、４０…貯氷室、４０ａ… 冷媒管導入口、４１…氷量検知センサ、４２…ホルダ４２Ａ…フック、４３…排水口、４４…取付ブラケット、４５…簀の子、４６…シュート、４７ クラッシャ、５０…紫外線照射器。
【図１】
2020020562.tif 000003
【図２】
2020020562.tif 000004
【図３】
2020020562.tif 000005
【図４】
2020020562.tif 000006
【図５】
2020020562.tif 000007
【図６】
2020020562.tif 000008
【図７】
2020020562.tif 000009
【図８】
2020020562.tif 000010
【図９】
2020020562.tif 000011
【図１０】
2020020562.tif 000012
【図１１】
2020020562.tif 000013
【図１２】
2020020562.tif 000014
【図１３】
2020020562.tif 000015
【図１４】
2020020562.tif 000016
【図１５】
2020020562.tif 000017
【図１６】
2020020562.tif 000018
【図１７】
2020020562.tif 000019
【図１８】
2020020562.tif 000020
【図１９】
2020020562.tif 000021
【図２０】
2020020562.tif 000022
【図２１】
2020020562.tif 000023
【図２２】
2020020562.tif 000024
【図２３】
2020020562.tif 000025
【図２４】
2020020562.tif 000026
【図２５】
2020020562.tif 000027
【図２６】
2020020562.tif 000028
【図２７】
2020020562.tif 000029
【図２８】
2020020562.tif 000030
【図２９】
2020020562.tif 000031
【図３０】
2020020562.tif 000032
【図３１】
2020020562.tif 000033
【図３２】
2020020562.tif 000034
【図３３】
2020020562.tif 000035
【図３４】
2020020562.tif 000036
【図３５】
2020020562.tif 000037
【図３６】
2020020562.tif 000038
【図３７】
2020020562.tif 000039
【図３８】
2020020562.tif 000040
【図３９】
2020020562.tif 000041
【図４０】
2020020562.tif 000042
【図４１】
2020020562.tif 000043
【図４２】
2020020562.tif 000044
【図４３】
2020020562.tif 000045
【図４４】
2020020562.tif 000046
【図４５】
2020020562.tif 000047
【図４６】
2020020562.tif 000048
【図４７】
2020020562.tif 000049